(57)【要約】【課題】設置角度の変更等に柔軟に対応することができ、指掛部としての機能を有するスタンドを備えた携帯型機器を提供する。【解決手段】携帯型機器１１は、本体１２、スタンド１３、スタンド１３に設けられる指掛部１４を具備する。携帯型機器１１は、設置面１５に対して本体１２を斜めに支持することが可能なスタンド１３を有する。スタンド１３は、本体１２に取り付けられたベース部３１と、本体１２を把持する際に指が掛けられる指掛部１４と、ベース部３１に取り付けられる第１の端部３２Ａと、第１の端部３２Ａとは反対側の第２の端部３２Ｂと、を有するとともに、第１の端部３２Ａを中心に回動できる第１の脚部３２と、第２の端部３２Ｂに取り付けられる一方の端部３３Ａを有するとともに、一方の端部３３Ａを中心に回動できる第２の脚部３３と、を有する。【選択図】図２
2009152500.tif 000002
【特許請求の範囲】
【請求項１】
設置面に対して本体を斜めに支持することが可能なスタンドを有する携帯型機器であって、
前記スタンドは、
前記本体に取り付けられたベース部と、
前記本体を把持する際に指が掛けられる指掛部と、
前記ベース部に取り付けられる第１の端部と、前記第１の端部とは反対側の第２の端部と、を有するとともに、前記第１の端部を中心に回動できる第１の脚部と、
前記第２の端部に取り付けられる一方の端部を有するとともに、前記一方の端部を中心に回動できる第２の脚部と、
を有することを特徴とする携帯型機器。
【請求項２】
前記第１の脚部は、当接面を有し、
前記第２の脚部は、端面と、この端面と直交する平坦面と、前記端面と前記平坦面との間に設けられた角部と、を有し、
この角部は、前記本体が前記設置面に対して斜めになる第１の位置にあるときに、前記当接面に突き当てられ、
前記本体と前記設置面とがなす角度が前記第１の位置よりも小さくなった第２の位置にあるときに、前記第１の脚部の前記当接面は、前記第２の脚部の前記平坦面に突き当てられることを特徴とする請求項１に記載の携帯型機器。
【請求項３】
前記指掛部は、
基部側の端部と、前記基部側の端部とは反対側の先端部と、を有するとともに、前記ベース部に前記基部側の端部が取り付けられるベルト部材と、
前記第１の脚部の前記第２の端部の近傍に、前記第１の脚部に対して回動できるように取り付けられるバックル部材と、
を具備し、
前記バックル部材は、前記ベルト部材に対してスライド移動できるように前記ベルト部材に係合することを特徴とする請求項２に記載の携帯型機器。
【請求項４】
前記バックル部材は、前記ベルト部材の内側に指を複数本通すことが可能な第１の状態と、前記ベルト部材の内側に指を１本通すことが可能な第２の状態と、の間で移動可能であることを特徴とする請求項３に記載の携帯型機器。
【請求項５】
前記ベルト部材は、その長手方向に沿って延びるスリットを有し、
前記バックル部材は、前記スリット内に嵌めこまれる突起を有することを特徴とする請求項４に記載の携帯型機器。
【請求項６】
前記ベース部は、ラッチを有し、
前記第１の脚部は、前記第２の端部の近傍に設けられる受け部を有し、この受け部は、前記本体が前記第１の位置および前記第２の位置にあるときに、前記ラッチに係合していることを特徴とする請求項５に記載の携帯型機器。
【請求項７】
前記第１の脚部の前記受け部は、前記第１の状態において、前記ベース部の前記ラッチから外れているとともに、前記第２の状態において、前記ベース部の前記ラッチに係合することを特徴とする請求項６に記載の携帯型機器。
【請求項８】
前記本体は、前記スタンドとは独立に設けられるとともに、前記本体を把持する際に手が掛けられる突出部を有し、
前記突出部は、前記本体を駆動するためのバッテリの収容部を兼ねていることを特徴とする請求項７に記載の携帯型機器。
【発明の詳細な説明】
【技術分野】
【０００１】
本発明は、例えば音楽データや映像データの記憶および再生を行うことが可能な携帯型機器に関する。
【背景技術】
【０００２】
手の大小の違いにかかわらず操作位置を確実に保持できるようにしたビデオカメラ装置が開示されている。このビデオカメラ装置は、カメラ本体部と、カメラ本体部の外装部分に支持されるようにしたグリップ機構と、グリップ機構を回動できるようにする回動手段と、グリップ機構をカメラ本体部に対して上下動できるようにするスライド手段と、を備えている。
【０００３】
ユーザは、グリップ機構を介してカメラ本体部を把持することができる。また、グリップ機構は、スライド手段によってスライド移動させることができ、カメラ本体部の底面と同一レベルまで引き下げることができる。この状態において、グリップ機構をスタンドとして機能させることができる（例えば、特許文献１参照）。
【特許文献１】特開２００２−１９０９７４号公報
【発明の開示】
【発明が解決しようとする課題】
【０００４】
ところで、このグリップ機構、回動手段、スライド手段の構成を、映像データの再生を行うことが可能な携帯型機器に適用しようとする際に、スタンドによって携帯型機器の設置角度を変更したい場合がある。この場合に、上記従来のグリップ機構等では、設置角度の変更等に柔軟に対応することができず、改良の余地があった。
【０００５】
本発明の目的は、設置角度の変更等に柔軟に対応することができ、指掛部としての機能を有するスタンドを備えた携帯型機器を提供することにある。
【課題を解決するための手段】
【０００６】
前記目的を達成するため、本発明の一つの形態に係る携帯型機器は、設置面に対して本体を斜めに支持することが可能なスタンドを有する携帯型機器であって、前記スタンドは、前記本体に取り付けられたベース部と、前記本体を把持する際に指が掛けられる指掛部と、前記ベース部に取り付けられる第１の端部と、前記第１の端部とは反対側の第２の端部と、を有するとともに、前記第１の端部を中心に回動できる第１の脚部と、前記第２の端部に取り付けられる一方の端部を有するとともに、前記一方の端部を中心に回動できる第２の脚部と、を有する。
【発明の効果】
【０００７】
本発明によれば、設置角度の変更等に柔軟に対応することができ、指掛部としての機能を有するスタンドを備えた携帯型機器を提供できる。
【発明を実施するための最良の形態】
【０００８】
以下に、図１から図１０を参照して、携帯型機器の実施形態について説明する。この携帯型機器は、内蔵するハードディスク等の記憶装置に音楽データや映像データの保存を行って、これらの再生を適宜に行うことが可能な機器である。
【０００９】
図１と図２に示すように、携帯型機器１１は、本体１２と、本体１２を支持することが可能なスタンド１３と、スタンド１３に設けられる指掛部１４と、を有している。スタンド１３は、本体１２を設置面１５に設置して使用する際に、設置面１５に対して斜めになった第１の位置Ｐ１と、この第１の位置Ｐ１よりも本体１２と設置面１５とがなす角度が小さくなった第２の位置Ｐ２と、の両方の位置で本体１２を支持することができる。
【００１０】
本体１２は、筐体２１と、筐体２１の内部に収容される液晶ディスプレイ２２と、操作用のボタン２３と、筐体２１の内部に収容される図示しないプリント回路板およびバッテリ２４と、を有している。プリント回路板には、ＣＰＵやＲＡＭが実装されている。
【００１１】
筐体２１は、合成樹脂によって方形箱状に形成されている。筐体２１は、液晶ディスプレイ２２を外部に露出させるための開口部２１Ａを有している。筐体２１は、さらに、スタンド１３とは独立に設けられた突出部２５を背面に有している。突出部２５は、筐体２１の背面２６から、背面２６と直交する方向に突出している。ユーザが右手で指掛部１４に指を掛ける際には、この突出部２５に手の一部を掛けることができる。突出部２５は、バッテリ２４の収容部を兼ねている。
【００１２】
スタンド１３は、例えば合成樹脂によって形成されている。スタンド１３は、筐体２１に直接取り付けられる取付部となるベース部３１と、ベース部３１に対して回動できるようにベース部３１に取り付けられる第１の脚部３２と、第１の脚部３２に対して回動できるように第１の脚部３２に取り付けられる第２の脚部３３と、ベース部３１に連続するように形成される指掛部１４と、を有している。
【００１３】
図３に示すように、ベース部３１は、平板状に形成されている。ベース部３１は、上部に設けられた第１のヒンジ部３４と、下部に設けられた第２のヒンジ部３５と、第１の脚部３２の後述する受け部３６と係合するラッチ３７と、を有している。第１のヒンジ部３４および第２のヒンジ部３５は、それぞれスプリングピン３８を通すための貫通孔３４Ａ，３４Ｂを有している。スプリングピン３８を介して、後述する指掛部１４のベルト部材４５が第１のヒンジ部３４に取り付けられる。スプリングピン３８を介して、第１の脚部３２が第２のヒンジ部３５に取り付けられる。ラッチ３７は、棒状に延びたロッド部４１と、ロッド部４１の先端に設けられた凸部４２と、を有している。さらに、第１の脚部３２の後述する取付部４３Ａと、バックル部材４６との間にもスプリングピン３８が介在される。
【００１４】
第１の脚部３２は、弓形をなした平板状に形成されている。第１の脚部３２は、ベース部３１に取り付けられる第１の端部３２Ａと、第１の端部３２Ａとは反対側の第２の端部３２Ｂと、を有している。第１の脚部３２は、第１の端部３２Ａを中心に回動することができる。第１の脚部３２は、第２の端部３２Ｂよりもさらに先端側に延びたアーム部４３を有している。アーム部４３は、指掛部１４の後述するバックル部材４６が取り付けられる取付部４３Ａと、取付部４３Ａの近傍に形成される受け部３６と、第２の端部３２Ｂと対向している当接面４３Ｂと、を有している。受け部３６は、第２の端部３２Ｂの近傍に配置されている。第１の脚部３２は、その中央部に孔４４を有している。ベース部３１を筐体２１にねじ止めする際には、この孔４４にねじ回しが通される。
【００１５】
第２の脚部３３は、弓形をなした平板状に形成されている。第２の脚部３３は、第１の脚部３２の第２の端部３２Ｂに取り付けられる一方の端部３３Ａと、一方の端部３３Ａとは反対側の他方の端部３３Ｂと、を有している。第２の脚部３３は、一方の端部３３Ａを中心に回動することができる。他方の端部３３Ｂは、本体１２を設置面１５に置いて使用する際に、設置面１５に接触する接触部を形成する。第２の脚部３３は、端面３３Ｃと、端面３３Ｃと直交する方向に延びる平坦面３３Ｄと、端面３３Ｃと平坦面３３Ｄとの間に位置する角部３３Ｅと、を有している。第２の脚部３３は、その中央部に孔４４を有している。ベース部３１を筐体２１にねじ止めする際には、この孔４４にねじ回しが通される。
【００１６】
指掛部１４は、本体１２を把持する際にこれに指を掛けることができるように形成されている。指掛部１４は、ベース部３１の第１のヒンジ部３４に固定されるベルト部材４５と、ベルト部材４５に係合するバックル部材４６と、を有している。ベルト部材４５は、例えば、ゴム材料で形成されている。ベルト部材４５は、ベルト本体４５Ｄと、長手方向に沿って延びるように、ベルト本体４５Ｄの中央部に形成されたスリット４５Ａと、ベルト本体４５Ｄに形成される基部側の端部４５Ｂと、基部側の端部４５Ｂとは反対側に形成される先端部４５Ｃと、を有している。スリット４５Ａは、ベルト部材４５の長手方向に沿って延びている。基部側の端部４５Ｂは、ベース部３１の第１のヒンジ部３４に固定される。
【００１７】
バックル部材４６は、第１の脚部３２に対して回動できるように、第１の脚部３２の取付部４３Ａに取り付けられている。バックル部材４６は、方形に形成された底板部４６Ａと、底板部４６Ａの縁部から立ち上がる側壁部４６Ｂおよび前壁部４６Ｃと、を有している。前壁部４６Ｃは、底板部４６Ａの縁部からＵ字状にターンする曲面として形成されている。前壁部４６Ｃは、ベルト部材４５が通される開口４６Ｄを有している。バックル部材４６は、突起４７を有し、突起４７は、底板部４６Ａの中央部から、底板部４６Ａと直交する方向に延びている。突起４７は、ベルト部材４５のスリット４５Ａの内側に通される。バックル部材４６は、突起４７を介して、ベルト部材４５に対してスライド移動できるように、ベルト部材４５に係合する。
【００１８】
突起４７は、先端部４５Ｃにおいて、横方向に突出した鍔部４７Ａを有している。鍔部４７Ａは、ベルト部材４５のベルト本体４５Ｄに引っかかるようになっており、突起４７がスリット４５Ａから抜けないようになっている。
【００１９】
続いて、図４から図１０を参照して、携帯型機器１１の使用状態について説明する。本実施形態の携帯型機器１１は、以下に述べるように、机などの設置面１５に設置した状態で使用したり、手で把持した状態で使用したりすることができる。
【００２０】
図４と図５に示すように、携帯型機器１１は、本体１２が設置面１５に対して斜めになった第１の位置Ｐ１において使用することができる。この第１の位置Ｐ１では、本体１２は、設置面１５に対して、例えば、７５度の角度で設置される。第１の位置Ｐ１にあるときに、第２の脚部３３の角部３３Ｅは、第１の脚部３２のアーム部４３の当接面４３Ｂに突き当たっている。
【００２１】
図６と図７に示すように、携帯型機器１１は、第１の位置Ｐ１とは異なる角度で、設置面１５に対して斜めに設置することができる。より具体的には、携帯型機器１１は、第１の位置Ｐ１よりも本体１２と設置面１５とがなす角度が小さくなった第２の位置Ｐ２において使用することができる。第２の位置Ｐ２では、本体１２は、設置面１５に対して、例えば、４５度の角度で設置される。第２の位置Ｐ２にあるときに、第２の脚部３３は、第１の位置Ｐ１よりも上側に回動されており、第１の脚部３２と第２の脚部３３とがなす角度が大きくなっている。第２の位置Ｐ２において、第１の脚部３２の当接面４３Ｂに、第２の脚部３３の平坦面３３Ｄが突き当てられている。なお、第１の脚部３２の受け部３６は、本体１２が第１の位置Ｐ１および第２の位置Ｐ２にあるときに、ベース部３１のラッチ３７に係合している。
【００２２】
このように、本実施形態の携帯型機器１１は、角度の異なる第１の位置Ｐ１および第２の位置Ｐ２で、本体１２を設置面１５に設置することができる。
【００２３】
また、図８と図９に示すように、携帯型機器１１は、本体１２を手で把持した状態で使用することができる。図８に示すように、携帯型機器１１は、ベルト部材４５の内側に指を複数本、つまり２本から３本通すことが可能な第１の状態Ｓ１で使用することができる。この第１の状態Ｓ１では、第１の脚部３２の受け部３６は、ベース部３１のラッチ３７から外れている。
【００２４】
図９に示すように、携帯型機器１１は、ベルト部材４５の内側に指を１本通すことが可能な第２の状態Ｓ２で使用することができる。第２の状態Ｓ２では、第１の脚部３２の受け部３６は、ベース部３１のラッチ３７に係合している。また、第１の状態Ｓ１および第２の状態Ｓ２では、突出部２５に指や手の平が掛けられる。
【００２５】
以上が、携帯型機器１１の実施形態である。本実施形態によれば、携帯型機器１１は、本体１２と、本体１２が設置される設置面１５に対して斜めになった第１の位置Ｐ１と、第１の位置Ｐ１よりも本体１２と設置面１５とがなす角度が小さくなった第２の位置Ｐ２と、の両方の位置で本体１２を支持することが可能なスタンド１３と、スタンド１３に設けられるとともに、本体１２を把持する際に指が掛けられる指掛部１４と、を具備する。
【００２６】
この構成によれば、指掛部１４がスタンド１３に設けられているため、スタンド１３に指掛部１４を兼ねさせることができる。これにより、指掛部１４を別途に設ける場合に比して、構造を簡略化するとともに、部品点数を削減できる。また、第１の位置Ｐ１と第２の位置Ｐ２との間で設置角度を変更することができ、ユーザの希望に合わせて本体１２を所望の角度で配置することができる。
【００２７】
この場合、スタンド１３は、本体１２に取り付けられたベース部３１と、ベース部３１に取り付けられる第１の端部３２Ａと、第１の端部３２Ａとは反対側の第２の端部３２Ｂと、を有するとともに、第１の端部３２Ａを中心に回動できる第１の脚部３２と、第２の端部３２Ｂに取り付けられる一方の端部３３Ａを有するとともに、一方の端部３３Ａを中心に回動できる第２の脚部３３と、を有し、第１の脚部３２は、当接面４３Ｂを有し、第２の脚部３３は、端面３３Ｃと、この端面３３Ｃと直交する平坦面３３Ｄと、端面３３Ｃと平坦面３３Ｄとの間に設けられた角部３３Ｅと、を有し、この角部３３Ｅは、本体１２が第１の位置Ｐ１にあるときに、当接面４３Ｂに突き当てられる。
【００２８】
この構成によれば、第２の脚部３３の角部３３Ｅと第１の脚部３２の当接面４３Ｂとの間の突き当たりによって、本体１２を第１の位置Ｐ１に保持することができる。これによって、第１の位置Ｐ１において、本体１２を安定的に支持することができる。
【００２９】
この場合、第１の脚部３２の当接面４３Ｂは、本体１２が第２の位置Ｐ２にあるときに、第２の脚部３３の平坦面３３Ｄに突き当てられる。この構成によれば、第１の位置Ｐ１にある場合に比して、第２の位置Ｐ２において、第２の脚部３３が上方に回動された状態にすることができる。これによって、設置面１５に対してより一層傾いた位置に本体１２を保持することができる。
【００３０】
この場合、指掛部１４は、基部側の端部４５Ｂと、基部側の端部４５Ｂとは反対側の先端部４５Ｃと、を有するとともに、ベース部３１に基部側の端部４５Ｂが取り付けられるベルト部材４５と、第１の脚部３２の第２の端部３２Ｂに対して回動できるように取り付けられるバックル部材４６と、を具備し、バックル部材４６は、ベルト部材４５に対してスライド移動できるようにベルト部材４５に係合する。
【００３１】
この構成によれば、ベルト部材４５の長さをバックル部材４６によって調整することができる。これによって、指掛部１４に掛けられる指の本数に合わせて、ベルト部材４５の長さを調整することができる。
【００３２】
この場合、バックル部材４６は、ベルト部材４５の内側に指を複数本通すことが可能な第１の状態Ｓ１と、ベルト部材４５の内側に指を１本通すことが可能な第２の状態Ｓ２と、の間で移動可能である。この構成によれば、ユーザの好みに合わせて、第１の状態Ｓ１と第２の状態Ｓ２で使い分けることができる。また、ボタン２３を操作する際に、携帯型機器１１を安定的に保持することができる。
【００３３】
ベルト部材４５は、長手方向に延びるスリット４５Ａを有し、バックル部材４６は、スリット４５Ａ内に嵌めこまれる突起４７を有する。この構成によれば、バックル部材４６がベルト部材４５に対してスライド移動できるように係合する構成を簡単に実現することができる。
【００３４】
この場合、ベース部３１は、ラッチ３７を有し、第１の脚部３２は、第２の端部３２Ｂの近傍に設けられる受け部３６を有し、この受け部３６は、本体１２が第１の位置Ｐ１および第２の位置Ｐ２にあるときに、ラッチ３７に係合している。
【００３５】
この構成によれば、本体１２を設置面１５に設置して第１の位置Ｐ１と第２の位置Ｐ２とで使用する際に、第１の脚部３２が第１の端部３２Ａを中心に勝手に回動しないようにすることができる。これによって、第１の位置Ｐ１および第２の位置Ｐ２において、本体１２を安定的に支持することができる。
【００３６】
この場合、第１の脚部３２の受け部３６は、第１の状態Ｓ１において、ベース部３１のラッチ３７から外れているとともに、第２の状態Ｓ２において、ベース部３１のラッチ３７に係合する。この構成によれば、ラッチ３７および受け部３６の係合を介することで、第１の状態Ｓ１と第２の状態Ｓ２との間の切り替えを簡単に行うことができる。
【００３７】
この場合、本体１２は、スタンド１３とは独立に設けられるとともに、本体１２を把持する際に手が掛けられる突出部２５を有し、突出部２５は、本体１２を駆動するためのバッテリ２４の収容部を兼ねている。この構成によれば、携帯型機器１１を把持して使用する際に、指掛部１４に加えて、突出部２５にも手を掛けることができる。これによって、携帯型機器１１を安定的に把持することができる。
【００３８】
本発明の携帯型機器は、例えば携帯電話機やパーソナルコンピュータのようなその他の電子機器に対しても実施可能である。その他、携帯型機器は、発明の要旨を逸脱しない範囲で種々変形して実施できることは勿論である。
【図面の簡単な説明】
【００３９】
【図１】第１の実施形態に係る携帯型機器を正面方向から示す斜視図。
【図２】図１に示す携帯型機器を背面方向から示す斜視図。
【図３】図２に示す携帯型機器のスタンドを分解して示す分解斜視図。
【図４】図２に示す携帯型機器が第１の位置にある状態を示す斜視図。
【図５】図４に示す第１の位置にある携帯型機器を示す側面図。
【図６】図１に示す携帯型機器が第２の位置にある状態を示す斜視図。
【図７】図６に示す第２の位置にある携帯型機器を示す側面図。
【図８】図１に示す携帯型機器を第１の状態で把持した状態を示す斜視図。
【図９】図１に示す携帯型機器を第２の状態で把持した状態を示す斜視図。
【図１０】図２に示す携帯型機器のスタンドのベース部のラッチと第１の脚部の受け部とを示す斜視図。
【符号の説明】
【００４０】
１１…携帯型機器、１２…本体、１３…スタンド、１４…指掛部、１５…設置面、２１…筐体、２４…バッテリ、２５…突出部、３１…ベース部、３２…第１の脚部、３２Ａ…第１の端部、３２Ｂ…第２の端部、３３…第２の脚部、３３Ａ…一方の端部、３３Ｃ…端面、３３Ｄ…平坦面、３３Ｅ…角部、３６…受け部、３７…ラッチ、４３Ｂ…当接面、４５…ベルト部材、４５Ａ…スリット、４６…バックル部材、４７…突起、Ｓ１…第１の状態、Ｓ２…第２の状態、Ｐ１…第１の位置、Ｐ２…第２の位置
【図１】
2009152500.tif 000003
【図２】
2009152500.tif 000004
【図３】
2009152500.tif 000005
【図４】
2009152500.tif 000006
【図５】
2009152500.tif 000007
【図６】
2009152500.tif 000008
【図７】
2009152500.tif 000009
【図８】
2009152500.tif 000010
【図９】
2009152500.tif 000011
【図１０】
2009152500.tif 000012